(57)【要約】【課題】複数のブレードを含み、ブレード間の間隔であるスパンをユーザーの操作を介して調節できるカミソリカートリッジを提供する。【解決手段】ブレード離間調節型カミソリカートリッジ１は、複数のブレード８０と、複数のブレード８０がそれぞれ挿入される安着部を備えた複数のブレードハウジングと、複数のブレードハウジングが延びた第１の方向に垂直な第２の方向に、複数のブレードハウジングが移動自在になるように支持するレールを備えたカートリッジフレーム１０と、複数のブレードハウジングとつながり、ユーザーの操作によって複数のブレードハウジングを上記第２の方向に移動させるスパン調整シフター２０と、を含む。【選択図】図１
2019181200.tif 000002
【特許請求の範囲】
【請求項１】
複数のブレードと、
前記複数のブレードがそれぞれ挿入される安着部を備えた複数のブレードハウジングと、
前記複数のブレードハウジングが延びた第１の方向に垂直な第２の方向に、前記複数のブレードハウジングが移動自在になるように支持する一つ以上のレールを備えたカートリッジフレームと、
前記複数のブレードハウジングとつながり、前記複数のブレードハウジングを前記第２の方向に移動させるスパン調整シフターと、を含むカミソリカートリッジ。
【請求項２】
前記複数のブレードハウジングのそれぞれが、前記第２の方向に移動する変位は、互いに異なる請求項１に記載のカミソリカートリッジ。
【請求項３】
前記複数のブレードハウジングのそれぞれが、前記第２の方向に移動する変位は、基準点となるブレードハウジングから離れるほど漸増する請求項２に記載のカミソリカートリッジ。
【請求項４】
前記スパン調整シフターを前記第１の方向に移動させると、前記複数のブレードハウジングは、前記第２の方向に移動する請求項１に記載のカミソリカートリッジ。
【請求項５】
前記複数のブレードハウジングが前記第２の方向に移動した後、前記複数のブレード間のスパンは同一となっている請求項１に記載のカミソリカートリッジ。
【請求項６】
前記複数のブレードハウジングは、複数のスパン突起を含み、
前記スパン調整シフターは、前記複数のスパン突起が収容される複数のスパンスロットを含み、
前記スパン調整シフターを前記第１の方向に移動させると、前記複数のスパン突起が前記複数のスパンスロット内で摺動することで、前記複数のブレードハウジングが前記第２の方向に移動する請求項１に記載のカミソリカートリッジ。
【請求項７】
前記複数のスパンスロットはそれぞれ異なる方向に形成され、前記複数のスパン突起がそれぞれ異なる方向に摺動自在になるように前記複数のスパンスロットに収容される請求項６に記載のカミソリカートリッジ。
【請求項８】
前記カートリッジフレームの前記第２の方向の一端に結合し、ガード突起を備える下方ガードと、
前記カートリッジフレームの他端に結合する上方ガードと、をさらに含み、
前記スパン調整シフターは、前記ガード突起が収容されるガードスロットを含み、
前記スパン調整シフターを前記第１の方向に沿って移動させると、前記ガード突起が前記ガードスロット内で摺動することで、前記下方ガードが前記第２の方向に移動する請求項１に記載のカミソリカートリッジ。
【請求項９】
前記スパン調整シフターは、前記カートリッジフレームに摺動自在になるように結合する請求項１に記載のカミソリカートリッジ。
【請求項１０】
前記カートリッジフレームの前記第１の方向両端から前記ブレードの少なくとも一部を覆いながら結合するクリップをさらに含む請求項１に記載のカミソリカートリッジ。
【請求項１１】
前記スパン調整シフターが前記カートリッジフレームに安着する面と、前記複数のブレードハウジングが前記カートリッジフレームに安着する面は、互いに反対側に位置する請求項１に記載のカミソリカートリッジ。
【請求項１２】
前記レールは複数で構成され、それぞれ前記第１の方向に離間して形成される請求項１に記載のカミソリカートリッジ。
【請求項１３】
異なる前記レールによって支持される前記複数のブレードハウジングの中で、前記複数のブレードのうちの同じブレードを支持する複数のブレードハウジングは、前記第１の方向に延びたブリッジによってつながって一体に形成される請求項１２に記載のカミソリカートリッジ。
【請求項１４】
前記複数のブレードハウジングは、前記第２の方向に沿って隣接するように配置された他の前記複数のブレードハウジングと相互につながり、
前記下方ガードは、前記複数のブレードハウジングのうちの前記下方ガードに隣接するブレードハウジングにつながり、
前記スパン調整シフターを前記第１の方向に沿って移動させると、前記下方ガードが前記第２の方向に移動することで前記複数のブレードハウジングが前記第２の方向に移動する請求項８に記載のカミソリカートリッジ。
【請求項１５】
複数のブレードと、
前記複数のブレードがそれぞれ挿入される安着部を備えた複数のブレードハウジングと、
前記複数のブレードハウジングが延びた第１の方向に垂直な第２の方向に、前記複数のブレードハウジングが移動自在になるように支持するレールを備えたカートリッジフレームと、
前記第２の方向に沿って、前記ブレードハウジングと一緒に移動自在になるように、前記レールの前記第２の方向の一端によって支持される下方ガードと、を含み、
前記複数のブレードハウジングは、前記第２の方向に沿って隣接するように配置された他の前記複数のブレードハウジングと相互につながり、
前記下方ガードは、前記複数のブレードハウジングのうちの前記下方ガードに隣接するブレードハウジングにつながり、
前記下方ガードに形成されたスパン調節ノブを前記第２の方向に沿って移動させると、前記複数のブレードハウジングは、前記第２の方向に移動するカミソリカートリッジ。
【発明の詳細な説明】
【技術分野】
【０００１】
本発明は、カミソリカートリッジに関し、より詳しくは、複数のブレードの離間を調節できるカミソリカートリッジに関する。
【背景技術】
【０００２】
一般的なカミソリカートリッジは、ブレード、ブレードハウジングで構成され、ブレードハウジングは、一般的に、ブレードが安着する安着部を含む。安着部にブレードが定着し、ブレードが固定するように、ブレードハウジングの側面からブレードとブレードハウジングを包み込むクリップが組み立てられ、ブレードとブレードハウジングをより丈夫に結合させることで、一つのカミソリカートリッジが完成する。
【０００３】
ブレードハウジングには、１つのブレードが装着するように安着部を形成することもあるが、信頼性高く体毛を切断するために体毛の再切削が可能な複数のブレードが隣接して配置するように複数の安着部（定着部）を形成することが一般的なカミソリカートリッジ技術分野の傾向である。
【０００４】
安着部はブレードハウジングに、一般的に一体型として形成され、ブレードの切削部であるカットエッジの反対端と結合する方式で、ブレードをブレードハウジングに固定する。したがって、複数の安着部（定着部）が配置された離間に沿って複数のブレード間の離間が決定される。複数のブレード間の離間をスパン（span）とする。
【０００５】
カミソリカートリッジをデザインするにあたり、適切なスパンを決定することは重要な問題である。スパンが過度に大きい場合、体毛切断過程で発生する残渣であるスラッジ（sludge）を洗浄することは容易であるが、肌に刺激が大きくなる問題が発生し、スパンが過度に小さい場合、皮膚刺激が減る代わりに洗浄が不利になるからである。
【０００６】
スパン値によって長所と短所が存在するので、カミソリユーザーそれぞれが好むスパン値が異なる場合がある。しかし、上述したように、一般的なカミソリカートリッジのブレードハウジングは一つに決定されたスパンを変更できないように形成するので、一人一人のニーズに合わせたカミソリカートリッジを提供することに困難がある。
【先行技術文献】
【特許文献】
【０００７】
【特許文献１】米国特許第４７０９４７７号明細書
【特許文献２】米国特許第４７７４７６５号明細書
【特許文献３】米国特許第７２００９３８号明細書
【特許文献４】米国特許第５３１３７０６号明細書
【特許文献５】米国特許第６１７３４９８号明細書
【発明の概要】
【発明が解決しようとする課題】
【０００８】
本発明が解決しようとする課題は、複数のブレードを含み、ブレード間の離間であるスパンをユーザーの操作を介して調節できるカミソリカートリッジを提供するものである。
【０００９】
本発明の課題は、以上で言及した課題に制限されず、取り上げていない他の課題は、以下の記載から当業者に明確に理解できるだろう。
【課題を解決するための手段】
【００１０】
前記課題を解決するための本発明の実施例に係るカミソリカートリッジは、複数のブレードと、前記複数のブレードがそれぞれ挿入される安着部を備えた複数のブレードハウジングと、前記複数のブレードハウジングが延びた第１の方向に垂直な第２の方向に、前記複数のブレードハウジングが移動自在になるように支持するレールを備えたカートリッジフレームと、前記複数のブレードハウジングとつながり、ユーザーの操作によって前記複数のブレードハウジングを前記第２の方向に移動させるスパン調整シフターと、を含む。
【００１１】
前記複数のブレードハウジングそれぞれが、前記第２の方向に移動する変位は互いに異なる。
【００１２】
前記複数のブレードハウジングのそれぞれが、前記第２の方向に移動する変位は、基準点となるブレードハウジングから離れるにつれて漸増（progressively increasing）する。
【００１３】
前記スパン調整シフターを前記第１の方向に移動させると、前記複数のブレードハウジングは、前記第２の方向に移動する。
【００１４】
前記複数のブレードハウジングが前記第２の方向に移動した後、前記複数のブレード間のスパンは同一になる。
【００１５】
前記複数のブレードハウジングは、複数のスパン突起を含み、前記スパン調整シフターは、前記複数のスパン突起を収容する複数のスパンスロットを含み、前記スパン調整シフターを前記第１の方向に移動させると、前記複数のスパン突起が前記複数のスパンスロット内で摺動することで、前記複数のブレードハウジングが前記第２の方向に移動できる。
【００１６】
前記複数のスパンスロットはそれぞれ異なる方向に形成され、前記複数のスパン突起がそれぞれ異なる方向に摺動自在になるように前記複数のスパンスロットに収容される。
【００１７】
実施例に係るカミソリカートリッジは、前記カートリッジフレームの前記第２の方向一端に結合され、ガード突起を備える下方ガードと、前記カートリッジフレームの他端に結合する上方ガードとを含み、前記スパン調整シフターは、前記ガード突起を収容するガードスロットを含み、前記スパン調整シフターを前記第１の方向に沿って移動させると、前記ガード突起が前記ガードスロット内で摺動することで、前記下方ガードが前記第１の方向に移動できる。
【００１８】
前記下方ガードの上部端と前記上方ガードの上部端をつなぐ剃毛平面から、前記複数のブレードの各カットエッジまでの距離である突出量は、前記複数のブレードハウジングが前記第２の方向に移動することによって変わる。
【００１９】
前記スパン調整シフターは、前記カートリッジフレームに摺動自在になるように結合する。
【００２０】
さらに、前記カートリッジフレームの前記第１の方向両端にて前記ブレードの少なくとも一部を覆いながら結合するクリップを含む。
【００２１】
前記スパン調整シフターが前記カートリッジフレームに安着する面と、前記複数のブレードハウジングが前記カートリッジフレームに安着する面は、互いに反対側に位置する。
【００２２】
前記レールは、複数で構成され、それぞれ前記第１の方向に離間して形成する。
【００２３】
異なる前記レールによって支持される前記複数のブレードハウジングの中で、前記複数のブレードのうちの同一のブレードを支持する複数のブレードハウジングは、前記第１の方向に延びたブリッジによってつながって一体に形成される。
【００２４】
前記複数のブレードハウジングは、前記第２の方向に沿って隣接して配置された他の前記複数のブレードハウジングと相互につながり、前記下方ガードは、前記複数のブレードハウジングのうちの前記下方ガードに隣接するブレードハウジングにつながれる。
【００２５】
前記スパン調整シフターを前記第１の方向に沿って移動させると、前記下方ガードが前記第２の方向に移動することで前記複数のブレードハウジングが前記第２の方向に移動する。
【００２６】
実施例に係るカミソリカートリッジは、複数のブレードと、前記複数のブレードがそれぞれ挿入される安着部を備えた複数のブレードハウジングと、前記複数のブレードハウジングが延びた第１の方向に垂直な第２の方向に、前記複数のブレードハウジングが移動自在になるように支持するレールを備えたカートリッジフレームと、前記第２の方向に沿って前記ブレードハウジングと一緒に移動自在になるように、前記レールの前記第２の方向の一端によって支持される下方ガードとを含み、前記複数のブレードハウジングは、前記第２の方向に沿って隣接して配置された他の前記複数のブレードハウジングと相互につながり、前記下方ガードは、前記複数のブレードハウジングのうちの前記下方ガードに隣接するブレードハウジングにつながれ、前記下方ガードに形成されたスパン調節ノブを前記第２の方向に沿って移動させると、前記複数のブレードハウジングは前記第２の方向に移動する。
【００２７】
その他の実施例の具体的な事項は、詳細な説明及び図面に含まれている。
【発明の効果】
【００２８】
本発明の実施例によると、少なくとも次のような効果がある。
【００２９】
スパンをユーザーが任意に調節できるので、一人一人の好みに合ったカミソリカートリッジを提供できる。
【００３０】
刺激が少ない狭いスパン状態で体毛を切断した後、広いスパンに切り替えて、効果的に剃毛残留物を洗浄できる。
【００３１】
本発明による効果は、以上で例示された内容によって制限されず、更に、様々な効果が本明細書内に含まれる。取り上げていないもう一つの効果は、請求の範囲の記載から当業者に明確に理解できるだろう。
【図面の簡単な説明】
【００３２】
【図１】本発明の第１の実施例に係るカミソリカートリッジを示す斜視図である。
【図２】本発明の第１の実施例に係るカミソリカートリッジの背面図である。
【図３】本発明の第１の実施例に係るカミソリカートリッジの分解斜視図である。
【図４】本発明の第１の実施例に係るカミソリカートリッジの背面分解斜視図である。
【図５ａ】本発明の第１の実施例に係るカートリッジフレームと、複数のブレードハウジングの正面図である。
【図５ｂ】図５ａのＡ−Ａ′断面を示すものである。
【図６】本発明の第１の実施例に係るカートリッジフレームと、複数のブレードハウジングの背面図である。
【図７ａ】本発明の第１の実施例に係るスパン調整シフターの正面図である。
【図７ｂ】本発明の第１の実施例に係るカートリッジフレームのガードバーのレールにスパン突起が千鳥状に形成されたブレードハウジングが結合された様子を拡大して示したものである。
【図８】本発明の第１の実施例に係るカミソリカートリッジのスパンが最小である状況を示す正面図である。
【図９】本発明の第１の実施例に係るカミソリカートリッジのスパンが最大である状況を示す正面図である。
【図１０】本発明の第１の実施例に係るカミソリカートリッジにおいて、ブレードが削除され、スパンが最小である状況を示す正面図である。
【図１１】本発明の第１の実施例に係るカミソリカートリッジにおいて、ブレードが削除され、スパンが最大である状況を示す正面図である。
【図１２】本発明の第２の実施例に係るカミソリカートリッジのカートリッジフレームと、複数のブレードハウジングを示す正面図である。
【図１３】本発明の第２の実施例に係るカミソリカートリッジのカートリッジフレームと、複数のブレードハウジングを示した背面図である。
【図１４ａ】本発明の第２の実施例に係るカートリッジフレームと、複数のブレードハウジングのスパンが最大になるように配置された状況を示した正面図である。
【図１４ｂ】本発明の第２の実施例に係るブレードハウジングユニットの斜視図である。
【図１５】本発明の第３の実施例に係るブレードが除去されたカミソリカートリッジの正面図である。
【図１６】本発明の第３の実施例に係るブレードが除去されたカミソリカートリッジのスパンが最大である状況を示す正面図である。
【図１７】本発明の第３の実施例に係るブレードが除去されたカミソリカートリッジの分解斜視図である。
【図１８】本発明の第３の実施例に係るブレードが除去されたカミソリカートリッジの背面分解斜視図である。
【図１９ａ】本発明の第３の実施例に係る隣接したブレードハウジング同士またはブレードハウジングと下方ガードとの間を最小スパンとなるように配置した状況で、ハウジング結合突起とハウジング結合具との接続関係を示した図である。
【図１９ｂ】本発明の第３の実施例に係る隣接したブレードハウジング同士またはブレードハウジングと下方ガードとの間を最大スパンとなるように配置した状況で、ハウジング結合突と起ハウジング結合具との接続関係を示した図である。
【図２０】本発明の第３の実施例に係るカートリッジフレームと、複数のブレードハウジングのスパンが最大になるように配置した状況で、スパン調整シフターを除去したことを示す背面図である。
【図２１】本発明の第３の実施例に係るカミソリカートリッジのスパンが最小である状況を示した背面図である。
【図２２】本発明の第３の実施例に係るカートリッジフレームと複数のブレードハウジングのスパンが最大になるように配置された状況を示す背面図である。
【図２３】本発明の第４の実施例に係るブレードが除去されたカミソリカートリッジの正面図である。
【図２４】本発明の第４の実施例に係るブレードが除去されたカミソリカートリッジのスパンが最大である状況を示す正面図である。
【図２５】本発明の第４の実施例に係るブレードが除去されたカミソリカートリッジの分解斜視図である。
【図２６】本発明の第４の実施例に係るブレードが除去されたカミソリカートリッジの背面分解斜視図である。
【図２７】本発明の第４の実施例に係るクリップが削除されたカミソリカートリッジのスパンが最小である状況を示した背面図である。
【図２８】本発明の第４の実施例に係るクリップが削除されたカミソリカートリッジのスパンが最大である状況を示した背面図である。
【図２９】本発明の第４の実施例に係る下方ガードが分離された様子を示す斜視図である。
【発明を実施するための形態】
【００３３】
本発明の利点および特徴、そしてそれらを達成する方法は添付した図面と共に詳しく後述する実施例を参照すると明確になるだろう。しかし、本発明は、以下で開示する実施例に限定するものではなく、異なる多様な形態で具現することができ、単に本実施例は、本発明の開示が完全になるようにして本発明が属する技術分野で通常の知識を有する者に発明の範疇を完全に知らせるために提供するものであり、本発明は、請求項の範疇によって定義するだけである。明細書全体にわたって同一の参照符号は同一の構成要素を指す。
【００３４】
他の定義がない場合は、本明細書で使用するすべての用語（技術および科学的用語を含む）は、本発明が属する技術分野で通常の知識を有する者に共通して理解できる意味で使用できる。また、一般的に使用する事前定義の用語は明白に特別に定義されない限り、理想的または過度に解釈されない。
【００３５】
本明細書で使用する用語は、実施例を説明するためのものであり、本発明を制限するものではない。本明細書では、単数形は、フレーズで特に取り上げない限り複数形も含む。明細書で使用する「含む（comprises）」および／または「含んでいる（comprising）」は、取り上げた構成要素以外に一つ以上の他の構成要素の存在または追加を排除しない。
【００３６】
また、本明細書で記述する実施例は、本発明の理想的な例示図である断面図および／または概略図を参考にして説明する。したがって、製造技術および／または許容誤差などによって例示図の形態が変形し得る。また、本発明に示された各図面において、各構成要素は、説明の便宜を考慮し、やや拡大または縮小されて図示する可能性がある。明細書全体にわたって同一の参照符号は同一の構成要素を指し、「および／または」は、取り上げたアイテムのそれぞれ及び１つ以上のすべての組み合わせを含む。
【００３７】
空間的に相対的な用語は、図面に示す方向に加えて使用時または動作時に構成要素間の互いに異なる方向を含む用語として理解すべきである。構成要素は、他の方向にも配向することができ、これにより、空間的に相対的な用語は配向によって解釈し得る。
【００３８】
以下、添付の図面を参照して本発明の好適な実施例の構成を詳しく説明する。
【００３９】
図１は、本発明の第１の実施例に係るカミソリカートリッジ１を示す斜視図である。図２は、本発明の第１の実施例に係るカミソリカートリッジ１の背面図である。
【００４０】
図１及び図２を参照すると、本発明の第１の実施例に係るカミソリカートリッジ１は、複数のブレード８０と、複数のブレード８０を収容するカートリッジフレーム１０、カートリッジフレーム１０の背面に摺動自在になるように結合されたスパン調整シフター２０、スパン調整シフター２０の背面に結合されたコネクタ３０、その外に複数のブレード８０の上下に配置された上方ガード４２及び下方ガード４１、カートリッジフレーム１０を覆うように形成されたクリップ４３で構成されたことが分かる。
【００４１】
本発明の明細書で図面に示されたｙ軸に沿ってカートリッジフレーム１０の後方にコネクタ３０がつながり、コネクタ３０の前方にカートリッジフレーム１０がつながる。
【００４２】
また、図面に図示したｚ軸に沿って複数のブレード８０を中心に下方に下方ガード４１が、上方には上方ガード４２が位置する。また、側方とは、ｘ軸と平行の方向を意味する。
【００４３】
カートリッジフレーム１０が延びた方向であるカートリッジフレーム１０の長方向はＸ軸と平行し、短方向は、ｚ軸と平行である。また、本発明の明細書において、第１の方向とは、ｘ軸方向と平行な両方向を意味し、第２の方向とはｚ軸方向と平行な両方向を意味する。
【００４４】
以下、図３及び図４を参照して各構成要素とその結合構造について詳しく説明する。
【００４５】
図３は、本発明の第１の実施例に係るカミソリカートリッジ１の分解斜視図である。図４は、本発明の第１の実施例に係るカミソリカートリッジ１の背面分解斜視図である。
【００４６】
図３及び図４を参照すると、本発明の第１の実施例に係るカミソリカートリッジ１を含む構成要素がそれぞれどのような形状を有するかが確認できる。
【００４７】
ブレード８０は、体毛を切断する構成要素であり、本発明では、２つ以上の複数で構成する。ブレード８０としては、カッティングエッジ８１が形成された平面材料を曲げて形成する曲げ刃を使用し、曲がっていない平らな形の平刃または曲がった支持体の上面にブレード８０部材が溶接して取り付けられた鋼帯刃を使用する。ブレード８０は、一般的に、金属材料で、その中でも、ステンレス鋼を主に使用する。しかし、これに限定せず、セラミック、プラスチックなどの一定の強度以上を保持できる材料であれば、ブレード８０の材料として使用できる。
【００４８】
カートリッジフレーム１０は、本発明の一実施例に係るカミソリカートリッジ１の骨組みとなる構成要素であり、一方向に長く延びるように形成する。
【００４９】
カートリッジフレーム１０の前面では、上方に上方ガード４２が、下方に下方ガード４１が結合し、上方ガード４２と下方ガード４１との間に複数のブレード８０を挿入する。カートリッジフレーム１０の背面には、スパン調整シフター２０を摺動自在に結合し、スパン調整シフター２０の背面にコネクタ３０を結合する。このようなコネクタ３０は、カートリッジフレーム１０及びスパン調整シフター２０に対して一軸または多軸方向にピボット（pivot）自在に形成するが、これに限らず、固定された構造で形成することもできる。また、前記コネクタ３０を省略し、スパン調整シフター２０を、ハンドル（図示せず）に直接結合する構造も可能である。
【００５０】
カートリッジフレーム１０の前後面は、少なくとも一部を開け、開いた前面には、複数のブレード８０を挿入するようにし、開いた背面通孔１３には、コネクタ３０のフレーム結合部を挿入して結合できるようにする。また、カートリッジフレーム１０が前後方向に開いているので、カミソリカートリッジ１の洗浄時に洗浄水が円滑に通過できるようになる。本発明の第１の実施例では、長方形状の背面通孔１３が第１の方向に沿って全２個形成するものとして図示したが、カートリッジフレーム１０の背面通孔１３の形状及び個数は、これに限定せず、第２の方向に沿って配置することもでき、その形状も長方形に限定しない。
【００５１】
図５ａを参照してカートリッジフレーム１０及びブレードハウジング５１の結合関係について説明する。図５ａは、本発明の第１の実施例に係るカートリッジフレーム１０と、複数のブレードハウジング５１の正面図である。図５を参照すると、カートリッジフレーム１０は、内部に第２の方向に延びた少なくとも一つのガードバーレール１１を備える。ガードバーレール１１は、ブレード８０が安着するブレードハウジング５１を第２の方向に移動自在になるように支持する構成要素であるため、第２の方向に延びた形態を有する。ガードバーレール１１が配置された位置にしたがってブレードハウジング５１の位置が決定されるので、ブレードハウジング５１が配置され、複数のブレード８０を効果的に支持できる位置にガードバーのレール１１を形成することが望ましい。本発明の第１の実施例ではガードバーのレール１１がカートリッジフレーム１０の長方向である第１の方向に沿って離間して合計３つが配置されるが、長方向両端にガードバーのレール１１が１個ずつ配置され、中心部にガードバーのレール１１の１つを配置することを示したが、ガードバーレール１１の個数及び配置位置は、これに限定されない。
【００５２】
ガードバーレール１１は、ブレードハウジング５１を第２の方向に移動自在に支持するので、後述するブレードハウジング５１のレール結合部５１３に対応する形状を有する。その他のカートリッジフレーム１０には、下方ガード４１のガード突起４１１をガイドするガイドスロット１２を形成することができ、カートリッジフレーム１０に結合する各構成要素の形状に対応する外観を各構成要素が結合する部位に有する。
【００５３】
図５ｂは、図５ａのＡ−Ａ′断面を示す。具体的には、図５ｂは、カートリッジフレーム１０のガードバーレール１１にブレードハウジング５１が移動自在に結合する断面を示した。図５ｂを参照すると、カートリッジフレーム１０のガードバーレール１１と、ブレードハウジング５１のレール結合部５１３は、互いに対応する形状を有し、レール結合部５１３は、ガードバーのレール１１の断面形状よりも若干大きく形成することが望ましい。したがって、ブレードハウジング５１は、レール結合部５１３の内部に収容するガードバーのレール１１によって支持され、第２の方向にのみ移動できる。
【００５４】
再び図３及び図４に戻ってブレードハウジング５１について説明する。ガードバーレール１１に結合するブレードハウジング５１の形状をよりよく観察できるように、別のブレードハウジング５１を図面に追加表示した。ブレードハウジング５１は、ブレード８０が挿入及び安着する安着部５１２を備え、ブレード８０をカミソリカートリッジ１に固定させる構成要素である。本発明のカミソリカートリッジ１は、複数のブレード８０を収容するため、複数のブレード８０を支持するために、ブレードハウジング５１も複数で形成する。ブレードハウジング５１を含む安着部５１２は、一つのブレード８０を固定させることができ、ブレード８０のカットエッジ８１の反対側に位置する底部８２が挿入できるように底部８２の形状に対応するスリットの形で形成する。
【００５５】
ブレードハウジング５１は、第２の方向に沿って移動自在になるようにガードバーのレール１１によって支持される。したがって棒のような形で第２の方向に沿って延びるように形成するガードバーのレール１１に結合するとともに、第２の方向に沿って移動自在するために、ガードバーレール１１の形状に対応するレール結合部５１３を有する。ブレードハウジング５１の前方には、安着部５１２を形成してブレード８０を固定し、この反対の後方には、スパン突起５１１が突出るように形成する。スパン突起５１１は、後述するスパン調整シフター２０のスパンスロット２１に挿入されてスパンスロット２１内で移動する。したがってスパン突起５１１は、スパンスロット２１内で摺動して移動することができるが、スパンスロット２１の外部には出られない。
【００５６】
ガードバーレール１１が複数で構成され、第１の方向に沿って離間するように配置されるので、第１の方向に沿って互いに離間したブレードハウジング５１が存在できるようになる。このように、第１の方向に沿って離間した複数のブレードハウジング５１のうちの一部のブレードハウジング５１が同じブレード８０の底部８２の異なる一部領域を支持することで、該当ブレード８０をカミソリカートリッジ１に固定することができる。本発明の第１の実施例では、ガードバーのレール１１を合計３つで形成するものとして記載しているので、３つのガードバーのレール１１に６つのブレードハウジング５１が結合されてカミソリカートリッジ１は、合計１８個のブレードハウジング５１を含む。１８個のブレードハウジング５１のうちの３つのガードバーのレール１１に結合されたブレードハウジング５１を一つずつ選択し、選択された合計３つのブレードハウジング５１が一つのセットで束ねられ、同じ一つのブレード８０を支持するようにする。つまり、１つのブレード８０の底部８２が異なる３つのブレードハウジング５１によって支持されるのである。
【００５７】
各ブレードハウジング５１は、ガードバーのレール１１に結合、もしくは動かないように固定されず、第２の方向に移動できるように結合される。ブレードハウジング５１が第２の方向に移動する過程については、図８及び図９についての説明で後述する。
【００５８】
ブレード８０をカミソリカートリッジ１に固定するためにしっかりブレード８０の底部８２の全体に渡って固定が行われているが、必ずしも全体で固定がされなければならないものではない。したがって、本発明の第１の実施例のように、３つの互いに離間したブレードハウジング５１が一つの３つ対をなして一つのブレード８０を支持し、合計６つのブレード８０がブレードハウジング５１によってカミソリカートリッジ１に収容される。
【００５９】
同じガードバーのレール１１によって支持される複数のブレードハウジング５１のスパン突起５１１は、第２の方向に沿って一列に配列されるが、カートリッジフレーム１０と、ブレードハウジング５１が結合した様子を後方から見た背面図である図６を参照すると、本発明の第１の実施例のように千鳥状に配列することもできる。千鳥状でスパン突起５１１を配列する理由については、スパン調整シフター２０についての説明で後述する。
【００６０】
ブレードハウジング５１またはカートリッジフレーム１０の材質は、異なる材質となっているが、互いに同じ材質で構成することもでき、プラスチックが一般的であるが金属材料も可能であり、プラスチックに一部がゴムや金属で形成した材料が使用できる。この他にもカミソリカートリッジ１の構成要素として使用できる適切な材料を選べばよい。
【００６１】
スパン調整シフター２０は、ブレード８０との間の間隔であるスパン（span）を調節する構成要素である。スパン調整シフター２０は、カートリッジフレーム１０の背面に摺動自在に結合され、本発明の実施例では、第１の方向に摺動自在に結合されたが、スパン調整シフター２０が摺動自在な方向はこれに限定されず、第２の方向に摺動自在に構成することができ、第１の方向と第２の方向との間の任意の第３方向も摺動方向にすることができる。
【００６２】
スパン調整シフター２０は、カートリッジフレーム１０の背面にて第１の方向に摺動自在に結合するが、動作中のカートリッジフレーム１０から離脱してはならないので、スパン調整シフター２０の移動範囲を制限する固定部をカートリッジフレーム１０に形成する。
【００６３】
スパン調整シフター２０の前面は、カートリッジフレーム１０の背面に結合されるが、スパン調整シフター２０の前面には、ブレードハウジング５１のスパン突起５１１を収容するスパンスロット２１が形成され、後述する下方ガード４１のガード突起４１１を収容するガードスロット２３が形成される。スパンスロット２１とガードスロット２３について説明するために、スパン調整シフター２０の正面を示す図７ａをも参照する。スパンスロット２１またはガードスロット２３を、本発明の一実施例では、スパン調整シフター２０の前面に凹むように形成した溝で表現したが、スパン調整シフター２０の前後面が開いて形成された通孔であってもよい。
【００６４】
スパンスロット２１またはガードスロット２３は、それぞれスパン突起５１１またはガード突起４１１の形状に対応するように形成され、それぞれスパン突起５１１またはガード突起４１１の位置に対応するように配置する。しかし、必ずしもその形状が対応する必要はなく、それぞれスパン突起５１１またはガード突起４１１の直径より大きく形成しなければならない。スパン突起５１１またはガード突起４１１がスロット内に収容されて移動できなければならないからである。
【００６５】
スパンスロット２１は、スパン突起５１１を内部に収容するとともに、スパン調整シフター２０が、ユーザーの操作によって一方向に移動するときにスパン突起５１１に対して力を加えてスパン突起５１１が備えられているブレードハウジング５１を第２の方向に沿って移動させる役割をする。本発明の第１の実施例では、前記一方向は第１の方向であり、最も上方に位置するブレードハウジング５１は、移動せずに基準点となり、下方に位置するブレードハウジング５１が移動しながらブレード８０間の間隔を広げたり狭くする。最も上方に位置するブレードハウジング５１が移動しないように、カートリッジフレーム１０の内側面のうちの上面は、ブレードハウジング５１を固定できる構造を有する。
【００６６】
したがって、最も上方に位置するブレードハウジング５１のスパン突起５１１を挿入するスパンスロット２１は、第１の方向と平行して延びる。それより下方に位置するスパンスロット２１は、スパン突起５１１を第２の方向に沿って移動させ、さらに下方に位置するスパン突起５１１ほどスパン調整シフター２０の動きに応じて、さらに遠くに第２の方向に沿って移動しなければならないので、より急な傾斜を形成するように延びる。本発明の第１の実施例では、最も上方に位置するブレードハウジング５１を基準点にして図面のようなスパンスロット２１の形状を有するが、基準点は、中央に位置するブレードハウジング５１がなってもいいし、最も下方に位置するブレードハウジング５１がなってもよく、基準点となるブレードハウジング５１はこれに制限されない。
【００６７】
図７ｂは、本発明の第１の実施例に係るスパン突起５１１が千鳥状に形成されたブレードハウジング５１がカートリッジフレーム１０のガードバーレール１１に結合した様子を拡大して示したものである。図７ａ及び図７ｂを参照すると、本発明の第１の実施例では、同一のガードバーのレール１１に結合するスパン突起５１１が千鳥状に２列に配列するので、同一のガードバーのレール１１に対応するスパンスロット２１は、これに対応するように２列で形成される。また、スパン突起５１１は、一列に配列されてもよく、この場合はこれに対応するスパンスロット２１も一列に形成されなければならない。
【００６８】
ただし、スパン突起５１１とスパンスロット２１を一列に配列する場合に、多数のブレード８０を収容するカミソリカートリッジ１が第２の方向に沿って過度に大きくなり得ることから、サイズを小さくするために、スパン突起５１１とスパンスロット２１が過度に密に形成しなければならないという問題が発生する。
【００６９】
したがって、千鳥状にスパン突起５１１とスパンスロット２１を配列することが望ましく、これによりスペースをより余裕をもって使用するとともに加工のしやすさを確保できる。ガードスロット２３もスパンスロット２１と同様に、下方ガード４１に形成されたガード突起４１１を収容するとともに、スパン調整シフター２０が一方向に移動するときにガード突起４１１に対して力を加えてガード突起４１１が備えられている下方ガード４１を第２の方向に沿って移動させる役割をする。本発明では、ガード突起４１１の個数に合わせて、合計２個が第１の方向に沿って離間するように形成したが、その個数及び配置する位置は、これに限定されない。
【００７０】
スパン調整シフター２０は、前後方に開いたシフター通孔２４を含む。前記シフター通孔２４を介してコネクタ３０が結合され、カミソリカートリッジ１の洗浄時に洗浄水を導入したり、洗浄水と一緒に剃毛残渣を排出できる。
【００７１】
図３及び図４に戻って説明する。コネクタ３０は、スパン調整シフター２０の背面で結合する構成要素であり、カミソリカートリッジ１が、ハンドル（図示せず）と結合して一つの完成されたカミソリを構成するようにする。したがって、コネクタ３０には、ハンドルの結合部を収容する空間及びハンドル結合部が形成され、同時にハンドルと、本発明のカミソリカートリッジ１がうまく結合できるようにスパン調整シフター２０の背面に結合する結合突起を備える。スパン調整シフター２０は、コネクタ３０の結合突起とつながるコネクタ３０の結合スロットを対応する位置に備える。
【００７２】
上方ガード４２は、皮膚と接するカートリッジフレーム１０の前面からさらに突出して切削面を決定する構成要素である。上方ガード４２は、カートリッジフレーム１０の前面にて複数のブレード８０の上側に位置し、カートリッジフレーム１０の前面に結合する。上方ガード４２は、本発明の第１の実施例では、長方形で構成されると同時に剃毛時に皮膚に触れる平面が前方を向くように構成したが、皮膚に触れる平面は曲面で形成してもよく、その他の形態も可能である。
【００７３】
下方ガード４１は、上方ガード４２と同様に、皮膚と接するカートリッジフレーム１０の前面からさらに突出して切削面を決定する他の構成要素である。下方ガード４１は、カートリッジフレーム１０の前面にて複数のブレード８０の下側に位置し、スパン調整シフター２０とつながる。下方ガード４１は、カートリッジフレーム１０の前面で結合されてもよい。
【００７４】
下方ガード４１はガード突起４１１を備える。ガード突起４１１は、後方に突出してスパン調整シフター２０のガードスロット２３に収容される。したがって下方ガード４１は、スパン調整シフター２０が移動するにしたがい、ブレードハウジング５１と同様に、第２の方向に沿って移動することになる。
【００７５】
上方ガード４２及び下方ガード４１の材質及び形状としては、体毛を切断する時に体毛の並べ替えを支援するラバー（rubber）ガード、コム（comb）ガード、体毛を切断する時に皮膚を保護する潤滑バンド、石鹸部などを使用することができ、形態は突起、開口、モアレなど多様であり、これに限定されない。
【００７６】
クリップ４３は、ブレードハウジング５１に装着されたブレード８０をより確実にカートリッジフレーム１０に固定させるために使用する構成要素であり、カートリッジフレーム１０の外観の前後面と上下面の一部または全体の領域を囲むように形成する。
【００７７】
クリップ４３は、アルミニウムまたは他の金属材料で形成することができ、本発明の第１の実施例では、全部で２個のカートリッジフレーム１０の第１の方向の両端に結合されたものを開示したが、クリップ４３の配置及び個数はこれに限定されない。
【００７８】
また、本発明の実施例では、クリップ４３が使用されたが、この他にもカートリッジフレーム１０の第１の方向の両端にキャップ（cap）を結合させるなど、ブレードハウジング５１に装着されたブレード８０をカートリッジフレーム１０に安定的に固定させるために、様々な形態の変形された固定手段が適用できる。
【００７９】
ブレード・ハウジン５１にブレード８０が装着された後、クリップ４３がブレード８０のカットエッジ８１をカートリッジフレーム１０の後方に加圧するように結合される。クリップ４３の両端部をカートリッジフレーム１０の背面から前方に加圧して変形させることで、クリップ４３をカートリッジフレーム１０にしっかりと固定させることができる。
【００８０】
本発明の第１の実施例では、クリップ４３がカートリッジフレーム１０の前面にて第１の方向に両端を覆い、上下面を包んだ後、背面から結合するように、クリップ４３の結合構造を表現した。しかし、カートリッジフレーム１０の前後面を第１の方向の両端にて貫通するクリップ４３通孔（図示せず）がさらに形成され、クリップ４３が、前記クリップ４３通孔に挿入されてカートリッジフレーム１０に結合できるようになる。
【００８１】
また、クリップ４３通孔が上下側のうちの一側のみに形成され、一側ではクリップ４３通孔を介してクリップ４３がカートリッジフレーム１０を貫通し、他側ではクリップ４３がカートリッジフレーム１０を囲んで背面に進行し、結果的に、クリップ４３がカートリッジフレーム１０に結合する構造も可能である。
【００８２】
以下、図８ないし図１３を参照して本発明の第１の実施例に係るカミソリカートリッジ１のスパンを調節する過程を説明する。
【００８３】
図８は、本発明の第１の実施例に係るカミソリカートリッジ１のスパンが最小である状態を示す正面図である。図８を参照すると、本発明の第１の実施例に係るカミソリカートリッジ１のブレード８０間の間隔であるスパン（span）が非常に小さく、ブレード８０が密集していることが確認でき、スパン調整シフター２０がカートリッジフレーム１０の右側に突出していることを確認できる。また、スパン調整シフター２０の下端が下方ガード４１の下に一部が突出し、前方から観察できることが分かる。
【００８４】
図９は、本発明の第１の実施例に係るカミソリカートリッジ１のスパンが最大である状態を示す正面図である。ユーザーがスパン調整シフター２０を操作して図８及び図９の第１の方向に沿って左方向にスパン調整シフター２０を移動させると、図９のようにスパン調整シフター２０がカートリッジフレーム１０の左側に突出するようになり、スパンが増えて複数のブレード８０が占める前面から見た全体面積が増加することになり、下方ガード４１は、第２の方向に沿って下方にさらに移動し、スパン調整シフター２０の下端が前方に露出しない。第１の方向にスパン調整シフター２０が移動するにつれて、ブレードハウジング５１と下方ガード４１が、全体的に第２の方向に沿って下方に移動したからである。
【００８５】
また、スパン調整シフター２０は、第１の方向に沿って移動しても左側または右側に突出しない形で形成することができ、左側または右側のいずれか一方にのみ突出する形態にも形成及び操作できる。また、スパン調整シフター２０を第１の方向に沿って容易に移動させるためにスパン調整シフター２０の背面に突出した操作部を備える。
【００８６】
本発明の実施例では、ブレードハウジング５１が上方ガード４２に隣接した位置に集まっていながら、スパンの増加とともに第２の方向に沿って下方に移動し、下方ガード４１もブレードハウジング５１のように移動するが、上方ガード４２は、カートリッジフレーム１０に固定するようにカミソリカートリッジ１を構成した。しかし、移動するガードが上方ガード４２になり、固定するガードが下方ガード４１になってもよいし、ブレードハウジング５１が最小スパン状態で下方ガード４１に隣接する領域に集まるようにカミソリカートリッジ１を構成してもよい。
【００８７】
図１０は、本発明の第１の実施例に係るカミソリカートリッジ１において、ブレード８０が削除され、スパンが最小である状態を示す正面図である。
【００８８】
図１０を参照すると、スパン最小状態でブレードハウジング５１は、上方ガード４２に隣接する領域に集まり、スパン調整シフター２０は、第１の方向と平行な一方向である右に突出していることが分かる。スパン調整シフター２０のスパンスロット２１は、ブレードハウジング５１のスパン突起５１１を収容するため、現在、複数のスパンスロット２１の最も左側の一端に複数のスパン突起５１１を収容することが分かる。ガードスロット２３も同様に、最も左側の一端にガード突起４１１を収容することが分かる。
【００８９】
図１１は、本発明の第１の実施例に係るカミソリカートリッジ１において、ブレード８０が削除され、スパンが最大である状態を示す正面図である。
【００９０】
図１０のカミソリカートリッジ１にてユーザーの操作によってスパン調整シフター２０が第１の方向に沿って左に移動すると、スパンスロット２１とガードスロット２３も左側に移動する。しかし、最も上側に位置するスパンスロット２１を除けば、残りのスパンスロット２１及びガードスロット２３は、両端が左上方と右下方を向くように傾いた構造を有し、スパン突起５１１を含み、ガードバーのレール１１によって支持されるブレードハウジング５１とガード突起４１１を含む下方ガード４１は、第２の方向にのみ移動できる。したがって、スパン調整シフター２０が左に移動すると同時に、スパンスロット２１及びガードスロット２３に収容されたスパン突起５１１及びガード突起４１１は、最も上方に位置するスパン突起５１１を除き、すべてが第２の方向に沿って下方に移動し、スパン突起５１１を含むブレードハウジング５１とガード突起４１１を含む下方ガード４１も下方に移動する。つまり、スパン突起５１１及びガード突起４１１は、スパンスロット２１及びガードスロット２３内で摺動してスパンスロット２１及びガードスロット２３のいずれかの一端から他端に移動する。
【００９１】
ブレードハウジング５１は、ガードバーのレール１１によって第１の方向への動きが制限されているので、スパン調整シフター２０が第１の方向に沿って動いても、第１の方向には動けない。しかし、ガードバーのレール１１によって支持され、第２の方向には動くことができるので、第２の方向の下方に移動するのである。また、下方ガード４１は、スパン調整シフター２０が第１の方向に沿って動いても、カートリッジフレーム１０に含まれているガイドスロット１２によってガード突起４１１の第１の方向への動きが制限さされ、第１の方向には動くことができないが、ガード突起４１１がガードスロット２３内で摺動して第２の方向には動くことができる。
【００９２】
図１１を参照すると、このようなスパン調整シフター２０の操作によってスパンが最大になった場合のブレードハウジング５１及び下方ガード４１の配置状態を確認できる。スパン突起５１１とガード突起４１１がそれぞれスパンスロット２１とガードスロット２３の右側の一端に位置していることが分かる。
【００９３】
複数のブレードハウジング５１は、スパン調整の過程で、第２の方向に移動し、それぞれのブレードハウジング５１が移動する変位は、互いに異なる。同じ変位だけそれぞれのブレードハウジング５１が移動するとしたら、全体の複数のブレードハウジング５１が第２の方向に沿って移動した効果のみが発生するに留まり、スパン調整の効果はないからである。本発明の第１の実施例では、最も上側に位置するブレードハウジング５１が基準点となるので、それぞれのブレードハウジング５１が第２の方向に沿って移動する変位は基準点から離れるほど漸増（progressively increasing）する。
【００９４】
スパンを縮小する過程は、スパンを増加させる過程の逆で行われる。スパン調整シフター２０をユーザーが逆に操作し、ブレードハウジング５１が第２の方向に沿って反対方向に移動しながらスパンが縮小する。
【００９５】
以下、図１２ないし図１４ａを参照して本発明の第２の実施例に係るカミソリカートリッジについて説明する。
【００９６】
図１２は、本発明の第２の実施例に係るカミソリカートリッジのカートリッジフレーム１０と、複数のブレードハウジング５４を示す正面図であり、図１３は、同一対象の背面図である。図１４ａは、第２の実施例に係るブレードハウジング５４のスパンが最大になるように、カートリッジフレーム１０にブレードハウジング５４を配置した状態を示す正面図である。
【００９７】
本発明の第２の実施例に係るカミソリカートリッジは、第１の実施例に係るカミソリカートリッジ１と、全体的に同じであるが、ブレードハウジング５４がブレードハウジングユニット５３、５４を形成するという点でのみ差がある。図１２及び図１３を参照すると、第２の実施例に係るカミソリカートリッジを含むカートリッジフレーム１０とカートリッジフレーム１０に形成された３つのガードバーのレール１１に移動自在になるように結合された複数のブレードハウジング５４を確認することができ、第１の方向に延びたブリッジ５３が第２の方向に沿って同じ高さに位置する３つのブレードハウジング５４を接続してブレードハウジングユニット５３、５４を成している。第１の実施例のブレードハウジング５１は、同じブレードの異なる部分を支持しているとしても、互いにつながることなく、それぞれが動くが、本発明の第２の実施例に係るブレードハウジングユニット５３、５４を示す図１４ｂを参照すると、第２の実施例のブレードハウジング５４のうちの同一のブレードを支持しているブレードハウジング５４は、ブリッジ５３で相互につながってブレードハウジングユニット５３、５４を形成する。同じブレードを支持しているブレードハウジング５４が個別に動くのであれば、確実にそのブレードを支持するのは難しいだろう。
【００９８】
したがって、常に互いの間隔と配向を維持するようにブリッジ５３を介して同じブレードを支持するブレードハウジング５４をつなぎ、同じブレードをより安定的に支持するようにする。また、同じブレードを支持するブレードハウジング５４のうちの一つのブレードハウジング５４のスパン突起５４１に異常が生じたとしても、ブリッジ５３によって、他のブレードハウジング５４とつながるのでスパン調整シフターの操作に応じて、安定的に第２の方向に沿って移動できる。
【００９９】
ブリッジ５３は、Ｙ軸と平行な方向で、ブレードハウジング５４のスパン突起５４１と安着部５４２との間のスペースにつながる。スパン突起５４１と安着部５４２の作用を妨げないためである。ブリッジ５３は、ブレードハウジング５４を互いにつながって一体にブレードハウジングユニット５３、５４を構成することもでき、ブレードハウジング５４と結合する別物で構成することもできる。
【０１００】
以下、図１５及び図１６を参照して本発明の第３の実施例に係るカミソリカートリッジ３について説明する。
【０１０１】
図１５は、本発明の第３の実施例に係るブレードが除去されたカミソリカートリッジ３の正面図である。図１６は、本発明の第３の実施例に係るブレードが除去されたカミソリカートリッジ３のスパンが最大である状態を示す正面図である。
【０１０２】
本発明の第３の実施例に係るカミソリカートリッジ３は、第２実施例に係るカミソリカートリッジと非常に似ているが、多少の差がある。ブレードハウジング５５がカートリッジフレーム６１の後方に位置するスパン調整シフター６２につながれず、隣接するブレードハウジング５５または下方ガード５６に結合され、下方ガード５６が、第２の方向に沿って移動することで、ブレードハウジング５５が連動して第２の方向に沿って移動することになる。
【０１０３】
図１７は、本発明の第３の実施例に係るブレードが除去されたカミソリカートリッジ３の分解斜視図である。図１８は、本発明の第３の実施例に係るブレードが除去されたカミソリカートリッジ３の背面分解斜視図である。
【０１０４】
本発明の第３の実施例は、第２の実施例と同様のブレードハウジング５５を有し、第１の実施例と第２実施例のガードバーのレール１１と、ブレードハウジング５１、５４がガードバーレール１１と結合するため、レール結合部５１３を含まない。代わりに、第３の実施例のブレードハウジング５５は、ハウジング結合突起５５１と、他のブレードハウジング５５のハウジング結合突起５５１が結合できるハウジング結合具５５２を含む。したがって、カートリッジフレーム６１には、ブレードハウジング５５の本体が離脱しないように、ブレードハウジング５５の第１の方向の両端を保持できる２列のレール構造だけが残る。
【０１０５】
本発明の第３の実施例に係るカミソリカートリッジ３は、第２の方向に沿って互いに隣接するブレードハウジング５５同士、または隣接する下方ガード５６とつながる。具体的には、ブレードハウジング５５同士またはブレードハウジング５５と下方ガード５６がつながるとき、相対的に下方に位置するハウジング結合突起５５１、５６１が上方に位置するハウジング結合具５５２に結合される。
【０１０６】
ハウジング結合突起５５１、５６１とハウジング結合具５５２は、結合以降、互いに相対的な動きがとれないように、しっかりと結合するのではなく、緩くつながるように結合されたブレードハウジング５５の間、またはブレードハウジング５５と下方ガード５６との間に相対的な動きができるようにする。もし相対的な動きがとれないようにしっかり結合すると、ブレードハウジング５５間の間隔が調整できないからである。
【０１０７】
下方ガード５６は、第２実施例の下方ガード５６と類似した構造を有する。前面に形成されたガード部と背面に形成されたガード突起５６２の特徴をそのまま有する。しかし、第３の実施例の下方ガード５６は、隣接するブレードハウジング５５と結合するために、ブレードハウジング５５に形成されたものと同じ形状のハウジング結合突起５６１とブリッジ５６５を有する。下方ガード５６のハウジング結合突起５６１は、最も近いブレードハウジング５５のハウジング結合具５５２に結合する。
【０１０８】
図１９ａは、本発明の第３の実施例に係る隣接ブレードハウジング５５同士またはブレードハウジング５５と下方ガード５６との間が最小スパンになるように配置した状況において、ハウジング結合突起５５１、５６１とハウジング結合具５５２の接続関係を示す図であり、図１９ｂは、最大スパンになるように配置した状況において、ハウジング結合突起５５１、５６１とハウジング結合具５５２の接続関係を示した図である。
【０１０９】
図１９ａを参照すると、隣接するブレードハウジング５５同士またはブレードハウジング５５と下方ガード５６との間に最小スパンになるように配置した状況において、相対的に下方に位置するハウジング結合突起５５１、５６１は、上方に位置するハウジング結合具５５２に緩く結合して密着した状態になる。ただし、ハウジング結合具５５２は、ハウジング結合突起５５１、５６１を空間上余裕をもって収容するようなサイズで形成するので、上下方にて隣接するハウジング結合突起５５１、５６１が互いに離れるようにブレードハウジング５５及び下方ガード５６を第２の方向に移動させることができる。
【０１１０】
図１９ｂを参照すると、ハウジング結合突起５５１、５６１の端部が第２の方向に対して垂直に折り曲がるように形成され、最大スパンになるように配置された状況では、相対的に下方に位置するハウジング結合突起５５１、５６１の曲がった端部が上方に位置するハウジング結合具５５２の外周と隣接する上面にかかって第２の方向への動きが制限される。したがって、ハウジング結合突起５５１、５６１の端部が曲がる高さに応じて、隣接するブレードハウジング５５及び下方ガード５６との間に第２の方向への相対的な動きの程度を調節できる。
【０１１１】
一方、ブレードハウジング５５が、もはやスパン突起を備えないため、第３の実施例のスパン調整シフター６２は、スパンスロットを含まず、ガードスロット６２１とシフター通孔６２２だけを含む。
【０１１２】
第３の実施例とは異なり、下方ガード５６がスパン調整シフター６２及びブレードハウジング５５につながれておらず、一つのブレードハウジング５５に形成されたスパン突起がスパン調整シフター６２のスパンスロットにつながれてブレードハウジング５５全体のスパンを調節する実施例も可能である。
【０１１３】
以下、図２０ないし図２２を参照して本発明の第３の実施例に係るカミソリカートリッジ３のスパン調整過程について説明する。
【０１１４】
図２０は、本発明の第３の実施例に係るカートリッジフレーム６１と、複数のブレードハウジング５５のスパンが最大になるように配置した状況で、スパン調整シフター６２を除去したことを示す背面図である。
【０１１５】
スパン調整シフター６２を除去し、背面からカートリッジフレーム６１を見てみると、ブレードハウジング５５がスパン突起を含まないことでスパン突起を確認することができないが、ブレードハウジング５５を互いにつないでブレードハウジング５５と下方ガード５６をつなぐハウジング結合突起５５１、５６１を確認できる。また、ガード突起５６２が突出していることが分かる。図２１は、本発明の第３の実施例に係るカミソリカートリッジ３のスパンが最小である状態を示した背面図である。
【０１１６】
スパンが最小である状態でスパン調整シフター６２は、カートリッジフレーム６１との関係で図２１上の左側に、一部が突出して配置される。したがってガードスロット６２１内に収容されるガード突起５６２は、後方から見たときにガードスロット６２１の右上端に位置する。また、スパン調整シフター６２に形成されるガードスロット６２１の長さが延びる方向に沿ってガード突起５６２の位置は、後方から見たとき、ガードスロット６２１の左上端に位置してもよく、ブレードハウジング５５及び下方ガード５６を第２の方向に移動させるために形成するガードスロット６２１の形状と、ガードスロット６２１に収容されて動くガード突起５６２の位置は、これに制限されない。
【０１１７】
第３の実施例に係るカートリッジフレーム６１は、スパン調整シフター６２が第１の方向に沿って安定的に摺動すると同時にｙ軸と平行な方向に離脱しないように係止部６１３をさらに備えることができる。また、クリップ４３の端部もスパン調整シフター６２背面の一部を囲んで係止部６１３と同様の機能を有する。
【０１１８】
図２２は、本発明の第３の実施例に係るカートリッジフレーム６１と、複数のブレードハウジング５５のスパンが最大になるように配置した状況を示す背面図である。
【０１１９】
スパン調整シフター６２を第１の方向に沿って図２１及び図２２の右に操作すると、右上端と左下端に延びたガードスロット６２１に沿ってガード突起５６２が左下端に力を受ける。しかし、ガードスロット６２１を備えた下方ガード５６は、ガードバーのレール６１１に収容され、第１の方向への動きが制限されるので、第２の方向にのみ動く。したがって左下端に力を受けるが、左に移動することができず、下方にのみ動く。
【０１２０】
下方ガード５６は、隣接するブレードハウジング５５とハウジング結合突起５６１及びハウジング結合具５５２を介してつながり、他の複数のブレードハウジング５５は、互いにハウジング結合突起５５１及びハウジング結合具５５２を介してつながって第２の方向に沿って並ぶ。したがって、下方ガード５６が第２の方向に沿って下方に動くにつれ、下方ガード５６につながったブレードハウジング５５が第２の方向に沿って下方に移動し、つながれたブレードハウジング５５も下方に移動する。
【０１２１】
このような過程を経てガード突起５６２は、ガードスロット６２１の左下端に位置し、ブレードハウジング５５は、下方ガード５６とともに下方に移動してスパンが増加した状況が図２３に図示されている。このような構造を介して、下方ガード５６だけをスパン調整シフター６２が制御することで、スパンを縮小または増加させることができる。スパンを縮小するためには、スパン調整シフター６２を後方から見たとき、左側に操作して上述した過程を逆に行う。
【０１２２】
以下、図２３および図２４を参照して本発明の第４の実施例に係るカミソリカートリッジ４について概要的に説明する。
【０１２３】
図２３は、本発明の第４の実施例に係るブレードが除去されたカミソリカートリッジ４の正面図である。図２４は、本発明の第４の実施例に係るブレードが除去されたカミソリカートリッジ４のスパンが最大である状態を示す正面図である。
【０１２４】
本発明の第４の実施例に係るカミソリカートリッジ４は、第３の実施例に係るカミソリカートリッジ４と非常に似ているが、下方ガード５８のスパン調整ノブ５８２がさらに形成され、スパン調整シフター及びガード突起が存在しないという違いがある。その他のスパン調整過程のような一般的な動作は、図２３および図２４で確認できるように、第３の実施例のカミソリカートリッジ３と同様である。
【０１２５】
図２５は、本発明の第４の実施例に係るブレードが除去されたカミソリカートリッジ４の分解斜視図である。図２６は、本発明の第４の実施例に係るブレードが除去されたカミソリカートリッジ４の背面分解斜視図である。
【０１２６】
第４の実施例に係るカミソリカートリッジ４は、スパン調整シフターを含まず、したがってスパン調整シフターにつながれなければならないガード突起も下方ガード５８が含まない。その代わりに、下方ガード５８は、側下方に突出したスパン調節ノブ５８２を備える。
【０１２７】
スパン調整ノブ５８２は、本発明の第４の実施例では、側下方に突出するように備え、下方ガード５８の第１の方向両端に一つずつ合計２個備えるようにしたが、その個数及び位置はこれに限定されない。
【０１２８】
下方ガード５８は、ガード部５８４を前面に含み、側面には凹んだ複数のストッパースロット５８７、５８８を備える。ストッパースロット５８７、５８８は、後述するカートリッジフレーム７１のストッパー７１３が挿入される溝であり、その個数は、カミソリカートリッジ４が有さなければならないスパン種類の個数に応じて決定する。
【０１２９】
図２７は、本発明の第４の実施例に係るクリップ４３が除去されたカミソリカートリッジ４のスパンが最小である状態を示した背面図である。
【０１３０】
スパンが最小であるとき、本発明の第４の実施例に係るカミソリカートリッジ４の複数のブレードハウジング５７と下方ガード５８は、上側に集まる。
【０１３１】
スパン調整シフターがない代わりに、スパン調整ノブ５８２が下方ガード５８に形成され、スパン調節ノブ５８２を第２の方向に操作してブレードハウジング５７のスパンを調節する。
【０１３２】
一般的に、剃毛時の皮膚に接触したカミソリカートリッジ４を第２の方向に沿って移動させ、カッティングエッジによる体毛の切削が行われるので、下方ガード５８の皮膚による摩擦力が第２の方向に作用する。どのようであれ固定装置が存在しないと、前記摩擦力によって下方ガード５８が第２の方向に移動して、不要なスパン変化が剃毛中に起き得る。
【０１３３】
このような問題点を解決するためにストッパー７１３がカートリッジフレーム７１に備えられる。ストッパー７１３は、カートリッジフレーム７１の内側面のうちの下方ガード５８と合う内側面に突出して形成する。ストッパー７１３にかかって下方ガード５８の第２の方向への動きを制限する構造が下方ガード５８に凹んだストッパースロット５８７、５８８の形態で形成される。
【０１３４】
本発明の第４の実施例では、ストッパー７１３が凸り、ストッパースロット５８７、５８８が凹んだ形状を形成することを例として挙げたが、ストッパーが凹んでストッパースロットが凸った形状を形成することができ、下方ガード５８を第２の方向に固定できる構成であれば、これに限定されない。
【０１３５】
また、本発明の第４の実施例では、ストッパースロット５８７、５８８が合計２個形成され、下側に位置するストッパースロット５８７は、最小スパンの状態に対応して、上側に位置するストッパースロット５８８は、最大スパンの状態に対応するようにした。しかし、ストッパースロット５８７、５８８の個数、位置、および対応するスパンの状態は、これに限定されない。
【０１３６】
下側に位置するストッパースロット５８７は、最小スパン状態に対応するため、図２８の最小スパン状態にある下方ガード５８のストッパー７１３は、下側に位置するストッパースロット５８７にかかって第２の方向への移動が制限される。
【０１３７】
図２８は、本発明の第４の実施例に係るクリップ４３が除去されたカミソリカートリッジ４のスパンが最大である状態を示した背面図である。
【０１３８】
ユーザーが第２の方向に沿って下方に一定の大きさ以上の力をスパン調節ノブ５８２に加えると、ストッパースロット５８７とストッパー７１３の最大静止摩擦力を克服して下方ガード５８が下方に移動し、上側に位置するストッパースロット５８８にストッパー７１３が位置することになる。
【０１３９】
下方ガード５８が下方に移動することで、下方ガード５８につながれたブレードハウジング５７も下方に移動することになる。複数のブレードハウジング５７は、互いにつながるので、最も上側に位置するブレードハウジング５７を除く残りのブレードハウジング５７が下方に移動する。したがってスパンが増加することになる。
【０１４０】
ストッパー７１３は、上側に位置するストッパースロット５８８に位置するので、カミソリカートリッジ４が最大スパン状態を維持するようにする。
【０１４１】
図２９は、本発明の第４の実施例に係る下方ガード５８が分離された様子を示す斜視図である。
【０１４２】
下方ガード５８は、ガード部５８４を一体に含んでもよく、ガード部５８４に対してのみゴムまたは潤滑バンドなどの材質を採用できるので、互いに別物として形成してもよい。したがって、ガードホール５８６が形成され、ガードホール５８６にガード部５８４が結合されて下方ガード５８を形成することができる。
【０１４３】
本発明が属する技術分野の通常の知識を有する者は、本発明がその技術的思想や必須の特徴を変更せず、他の具体的な形で実施できるということが理解できるだろう。したがって、以上で記述した実施例は、すべての面で例示的なものであり限定的ではないことを理解しなければならない。本発明の範囲は、前記の詳細な説明よりも、後述する特許請求の範囲によって示され、特許請求の範囲の意味及び範囲そしてその均等概念から導き出せるすべての変更または変形された形態が本発明の範囲に含まれるものと解釈するべきである。
【０１４４】
たとえ本発明が前記した望ましい実施例と関連して説明されたが、発明の要旨と範囲から逸脱することなく、様々な修正や変形をすることが可能である。したがって、添付された特許請求の範囲には、本発明の要旨に属する限り、このような変更や変形を含むものである。
【符号の説明】
【０１４５】
１，３，４：カミソリカートリッジ、１０，６１，７１：カートリッジフレーム、１１，６１１，７１１：ガードバーのレール、１２：ガイドスロット、１３，６１２，７１２：背面通孔、２０，６２：スパン調整シフター、２１：スパンスロット、２３，６２１：ガードスロット、２４，６２２：シフター通孔、３０：コネクタ、４１，５６，５８：下方ガード、４２：上方ガード、４３：クリップ、５１，５４，５５，５７：ブレードハウジング、５３，５５５，５６５，５７５，５８５：ブリッジ、８０：ブレード、８１：カッティングエッジ、８２：底部、４１１，５６２：ガード突起、５１１，５４１：スパン突起、５１２，５４２，５５３：安着部、５１３：レール結合部、５５１，５６１，５７１，５８１：ハウジング結合突起、５５２，５７２：ハウジング結合具、５８２：スパン調節ノブ、５８４：ガード部、５８６：ガードホール、５８７，５８８：ストッパースロット、６１３：係止部、７１３：ストッパー。
【図１】
2019181200.tif 000003
【図２】
2019181200.tif 000004
【図３】
2019181200.tif 000005
【図４】
2019181200.tif 000006
【図５ａ】
2019181200.tif 000007
【図５ｂ】
2019181200.tif 000008
【図６】
2019181200.tif 000009
【図７ａ】
2019181200.tif 000010
【図７ｂ】
2019181200.tif 000011
【図８】
2019181200.tif 000012
【図９】
2019181200.tif 000013
【図１０】
2019181200.tif 000014
【図１１】
2019181200.tif 000015
【図１２】
2019181200.tif 000016
【図１３】
2019181200.tif 000017
【図１４ａ】
2019181200.tif 000018
【図１４ｂ】
2019181200.tif 000019
【図１５】
2019181200.tif 000020
【図１６】
2019181200.tif 000021
【図１７】
2019181200.tif 000022
【図１８】
2019181200.tif 000023
【図１９ａ】
2019181200.tif 000024
【図１９ｂ】
2019181200.tif 000025
【図２０】
2019181200.tif 000026
【図２１】
2019181200.tif 000027
【図２２】
2019181200.tif 000028
【図２３】
2019181200.tif 000029
【図２４】
2019181200.tif 000030
【図２５】
2019181200.tif 000031
【図２６】
2019181200.tif 000032
【図２７】
2019181200.tif 000033
【図２８】
2019181200.tif 000034
【図２９】
2019181200.tif 000035